(57)【要約】      （修正有）【課題】新聞折込チラシ用のコレーターにおいて、各棚の位置でも作業者がその棚の詳細な情報を容易に確認できるようにする。【解決手段】チラシを積載する給紙トレーを有した棚を縦方向に複数段備えてその棚から各々給紙された複数種類のチラシを丁合する装置としてその装置の制御を行う電子制御ユニット及びその装置について所定の表示を行うとともに所定の操作・設定を行うためのメインパネルを備えて、各棚の状態を含むその棚の所定の情報を表示するとともに各棚の所定の操作を行うための棚操作パネル１１Ａが棚毎に配設された新聞折込チラシ用のコレーターにおいて、その棚操作パネル１１Ａのうち所定のもの又は総てに、電子的画像表示機能を有したディスプレイ１５Ａが配設されて前記情報のうち少なくとも一部についてディスプレイ１５Ａに画像で表示可能としたことを特徴とするものとした。【選択図】図３
2013010571.tif 000002
【特許請求の範囲】
【請求項１】
チラシを積載する給紙トレーを有した棚を縦方向に複数段備えて前記棚から各々給紙された複数種類のチラシを丁合する装置であって、該装置の制御を行う電子制御ユニット及び前記装置について所定の表示を行うとともに所定の操作・設定を行うためのメインパネルを備えており、且つ、前記各棚の状態を含む前記棚の所定の情報を表示するとともに前記各棚の所定の操作を行うための棚操作パネルが前記棚毎に配設された新聞折込チラシ用のコレーターにおいて、
前記棚操作パネルのうち所定のもの又は総てには、電子的画像表示機能を有したディスプレイが配設されており、前記情報のうち少なくとも一部について前記ディスプレイに画像で表示可能とされている、ことを特徴とするコレーター。
【請求項２】
前記ディスプレイは、タッチパネル式の操作が可能とされて、前記各棚の所定の操作のうち少なくとも一部について画面に触って操作を行うための画像による操作手段を表示可能とされており、表示画面上でそのディスプレイのある前記棚の操作が行えるものとされている、ことを特徴とする請求項１に記載したコレーター。
【請求項３】
前記ディスプレイに表示可能な情報には、該ディスプレイのある前記棚に積載すべきチラシの名称又は／及び画像が含まれる、ことを特徴とする１または２に記載したコレーター。
【請求項４】
前記チラシの画像には、チラシの全体画像・チラシのうち特徴部分のみを選択した部分画像・所定のチラシを表すものとして予め作成または選択した特有の画像のうち、少なくとも一つが含まれることを特徴とする請求項３に記載したコレーター。
【請求項５】
前記ディスプレイに表示される前記情報は、前記メインパネルに表示されるその棚の情報と内容が一致するものとされ、前記各棚操作パネルで行った操作結果と前記メインパネルで行った操作結果とが、互いの表示画面における前記情報の内容に自動的に反映される、ことを特徴とする請求項１，２，３または４に記載したコレーター。
【請求項６】
前記複数の棚のうち少なくとも一つには、該棚に積載したチラシの画像又は前記チラシに表示したコードを自動的にデータとして読み取るチラシデータ読み取り手段が設けられており、読み取った前記データを基に前記電子制御ユニットが前記チラシの種類又は／及び前記データ毎に関連付けて記憶してある特有の関連情報を特定して、特定したチラシの種類又は／及び前記関連情報に応じて予め定められた所定の動作を実行する、ことを特徴とする請求項１，２，３，４または５に記載したコレーター。
【請求項７】
前記所定の動作には、前記棚に積載しているチラシの前記データとその棚に本来積載すべきものとして指定された前記チラシの前記データを比較し、前記データが一致しない場合に前記棚のチラシが指定されたものとは異なると判断して、積載した前記チラシが間違っている旨の情報を少なくとも前記棚の前記ディスプレイに画像で表示して報知することが含まれる、ことを特徴とした請求項６に記載したコレーター。
【請求項８】
前記各棚には、チラシ積載テーブルの角度を手動又は電動にて変更するためのテーブル角度変更手段が設けられて、前記ディスプレイにその棚の前記チラシ積載テーブルの現在角度を表示可能とされており、且つ、手動又は表示画面上の操作で前記テーブル角度変更手段を作動させることでその棚の前記チラシ積載テーブルの角度調整が行えるものとされ、その調整結果が前記現在角度の表示に自動的に反映される、ことを特徴とする請求項１，２，３，４，５，６または７に記載したコレーター。
【請求項９】
前記ディスプレイは、該ディスプレイのある前記棚で発生した給紙抜け・紙詰まり・重送のうち少なくとも一つを含む給紙不良の発生を報知するアラームについて画像による表示が可能とされているとともに、アラーム停止動作により前記装置が停止した際に最後に排出されたチラシ束から下方向に数えて何部目のチラシ束に給紙不良が存在するかについて画像による表示が可能とされている、ことを特徴とする請求項１，２，３，４，５，６，７または８に記載したコレーター。
【請求項１０】
前記ディスプレイは、該ディスプレイのある前記棚に積載したチラシを、現在の折り込み区域において、所定枚数給紙してから給紙を停止する設定・始めから所定枚数分給紙を停止していた後に給紙を開始する設定・平均的に分配しながら給紙する設定、のうち少なくとも一つを含む前記棚の設定状態について画像による表示が可能とされている、ことを特徴とする請求項１，２，３，４，５，６，７，８または９に記載したコレーター。
【請求項１１】
前記ディスプレイは、該ディスプレイのある前記棚に積載したチラシの給紙停止と給紙開始の各タイミングにおけるその動作になる旨の警告、又は／及び前記棚のチラシの載せ替えが必要になった場合におけるチラシの載せ替えを促す警告について画像による表示が可能とされている、ことを特徴とする請求項１，２，３，４，５，６，７，８，９または１０に記載したコレーター。
【発明の詳細な説明】
【技術分野】
【０００１】
本発明は、複数種類の用紙を一つに丁合するためのコレーターに関し、殊に、給紙トレーを有した棚を縦方向に複数段備えるとともに、棚の状態を表示しながらその棚の操作を行うための棚操作パネルを各棚に備えた、新聞折込チラシ用のコレーターに関する。  
【背景技術】
【０００２】
複数の給紙トレーから用紙を一枚ずつ給紙して丁合を行う装置としてコレーターが周知であるが、そのうち新聞折込チラシ用のものでは、給紙トレーを有した棚の開口部に隣接した位置に、図１１に示すような棚操作パネル１１Ｄが棚毎に配設されており、複数のランプ１３０ａ，１４０ａ，１５０ａ，１６０ａでその棚の各種状態を表示するとともに、複数のスイッチ１３０ｂ，１４０ｂ，１５０ｂ，１６０ｂや捌き力調整摘み１２０でその棚の各種操作を行えるようになっている。
【０００３】
このような棚操作パネル１１Ｄを棚毎に備えたコレーターには、図１２に示すように折り込み内容を入力したり各種操作を行ったりするためのキー入力部３３と、入力結果や装置全体の状態等を詳細に表示するための液晶画面等によるディスプレイ３２とを備えたメインパネル３Ｄが、装置側面やフレーム端面に配設されているのが一般的である。
【０００４】
また、例えば特開２００２−３０７５号公報にも記載されているように、棚毎の給紙タイミングをその棚の位置で調整するための操作部と、タイミング調整量の設定値をデジタル表示する表示手段とを備えた棚操作パネルを棚毎に設けたコレーターも知られており、各棚から離れた位置に固定されたメインパネルではなく、各棚の位置で給紙状態を直接視認しながら棚操作パネルで給紙タイミングの調整が行えるようになっている。
【０００５】
さらに、近年では例えば特開２００７−７００８７号公報にも記載されているように、液晶画面による比較的大きな画面のディスプレイを用いて詳細且つ多様な表示を可能としたメインパネルを備えたコレーターも普及しており、配達地区番号、配達するチラシの番号、そのチラシを登載する棚番号等を一覧に表示しながら、現在の折り込み状況や各種アラームの発生状況等を一つの画面で認識できるようになっている。
【０００６】
しかしながら、この場合においても、コレーターによる折り込み作業（丁合作業）を担当する作業者にとっては、ある配達地域の折り込みを実施している際に、メインパネルに番号だけで一覧表示されているチラシが予定した棚から間違いなく給紙されているかについて的確に把握することは容易ではなく、誤って予定とは違うチラシが給紙されていることに気付くのが遅れた場合には、誤りを含んで排出された多量のチラシ束を修正するのに多大な手間と時間を要する結果となる。従って、各棚の位置でもその棚から給紙するチラシの種類や給紙枚数等の詳細な情報が手間を要することなく認識できれば極めて便利である。
【先行技術文献】
【特許文献】
【０００７】
【特許文献１】特開２００２−３０７５号公報
【特許文献２】特開２００７−７００８７号公報
【発明の概要】
【発明が解決しようとする課題】
【０００８】
本発明は、上記のような問題を解決しようとするものであり、新聞折込チラシ用のコレーターにおいて、各棚の位置でも作業者がその棚の詳細な情報を容易に確認できるようにすることを課題とする。
【課題を解決するための手段】
【０００９】
そこで、本発明は、チラシを積載する給紙トレーを有した棚を縦方向に複数段備えてその棚から各々給紙された複数種類のチラシを丁合する装置であって、この装置の制御を行う電子制御ユニット及びその装置について所定の表示を行うとともに所定の操作・設定を行うためのメインパネルを備えており、且つ、各棚の状態を含むその棚の所定の情報を表示するとともに各棚の所定の操作を行うための棚操作パネルが棚毎に配設された新聞折込チラシ用のコレーターにおいて、その棚操作パネルのうち所定のもの又は総てには、電子的画像表示機能を有したディスプレイが配設されており、前記情報のうち少なくとも一部についてそのディスプレイに画像で表示可能とされている、ことを特徴とするものとした。
【００１０】
このように、複数段の棚のうち、例えば折段、一番上のチラシを給紙するもの、適宜選択したもの、等の所定の棚や総ての棚に配設してある棚操作パネルに、自由な表現形式で様々な情報を表示可能なディスプレイを配置し、その棚の現在状態を含む所定の情報を棚の位置にて文字・マーク・色等の様々な態様で表示できるものとしたことで、アラームランプ等のパネル部品の省略を可能としながら、作業者が棚の詳細な情報を容易に確認できるものとなる。
【００１１】
また、このコレーターにおいて、そのディスプレイは、タッチパネル式の操作が可能とされて、各棚の所定の操作のうち少なくとも一部について画面に触って操作を行うための画像による操作手段を表示可能とされており、その表示画面上でそのディスプレイのある棚の操作が行えるものとされている、ことを特徴としたものとすれば、操作スイッチ等のパネル部品の省略を可能としながら、その棚の運転状態を確認しつつアラームが発生しないように操作する作業の際に、その棚の位置にて棚の状態確認と操作が同時に行えるようになり、迅速且つ的確な作業が実現しやすいものとなる。
【００１２】
さらに、上述したコレーターにおいて、そのディスプレイに表示可能な棚の情報には、このディスプレイのある棚に積載すべきチラシの名称又は／及び画像が含まれる、ことを特徴としたものとすれば、作業者が各棚に載せるべきチラシをその棚の位置で表示されたチラシ名やチラシ画像により容易に確認できるものとなって、迅速で正確なチラシの積み込み・折り込み作業を実現しやすいものとなり、この場合、そのチラシの画像には、チラシの全体画像・チラシのうち特徴部分のみを選択した部分画像・所定のチラシを表すものとして予め作成または選択した特有の画像のうち、少なくとも一つが含まれることを特徴としたものとすれば、チラシのデザインに応じて小さい表示画面でもそれを確認しやすい状態にして表示することができる。
【００１３】
さらにまた、上述したコレーターにおいて、そのディスプレイに表示される情報は、メインパネルに表示されるその棚の情報と内容が一致するものとされ、各棚操作パネルで行った操作結果とメインパネルで行った操作結果とが、互いの表示画面における前記情報の内容に自動的に反映される、ことを特徴としたものとすれば、作業者は各棚の表示とメインパネルの表示のいずれを見てもその棚の情報を確認できるため、迅速で正確な作業を遂行しやすいものとなる。
【００１４】
加えて、上述したコレーターにおいて、複数の棚のうち少なくとも一つには、その棚に積載したチラシの画像又はそのチラシに表示したコードを自動的にデータとして読み取るチラシデータ読み取り手段が設けられており、読み取ったデータを基に電子制御ユニットがそのチラシの種類又は／及び前記データ毎に関連付けて記憶してある特有の関連情報を特定して、特定したチラシの種類又は／及び関連情報に応じて予め定められた所定の動作を実行する、ことを特徴としたものとすれば、積載しているチラシに表示されている情報を基にコレーターとして多彩な機能を自動的に発揮させることができる。
【００１５】
このチラシデータ自動読み取り式のコレーターにおいて、その電子制御ユニットによる所定の動作には、その棚に積載しているチラシのデータとその棚に本来積載すべきものとして指定されたチラシのデータを比較し、そのデータが一致しない場合にその棚のチラシが指定されたチラシとは異なると判断して、積載したチラシが間違っている旨の情報を少なくともその棚のディスプレイに画像で表示して報知することが含まれる、ことを特徴としたものとすれば、チラシの積載ミスや積み替え忘れを作業者に短時間で認識させることができ、トラブルの拡大を最小限に抑えやすいものとなる。
【００１６】
また加えて、上述したコレーターにおいて、その各棚には、チラシ積載テーブルの角度を手動又は電動にて変更するためのテーブル角度変更手段が設けられて、ディスプレイにその棚のチラシ積載テーブルの現在角度を表示可能とされており、且つ、手動又は表示画面上の操作で前記テーブル角度変更手段を作動させることでその棚のチラシ積載テーブルの角度調整が行えるものとされ、その調整結果が前記現在角度の表示に自動的に反映される、ことを特徴としたものとすれば、各棚の位置でチラシ積載テーブルの角度の的確な調整が容易に行えるものとなる。
【００１７】
更に加えて、上述したコレーターにおいて、そのディスプレイは、このディスプレイのある棚で発生した給紙抜け・紙詰まり・重送のうち少なくとも一つを含む給紙不良の発生を報知するアラームについて画像による表示が可能とされているとともに、アラーム停止動作により装置が停止した際に最後に排出されたチラシ束から下方向に数えて何部目のチラシ束に給紙不良が存在するかについて画像による表示が可能とされている、ことを特徴としたものとすれば、その棚で生じた各種給紙不良に対して迅速に対応できることに加え、給紙不良を含むチラシ束の修正作業が極めて容易になる。
【００１８】
そして、上述したコレーターにおいて、前記ディスプレイは、このディスプレイのある棚に積載したチラシを、現在の折り込み区域において、所定枚数給紙してから給紙を停止する設定・始めから所定枚数給紙を停止していた後に給紙を開始する設定・平均的に分配しながら給紙する設定、のうち少なくとも一つを含む棚の設定状態について画像による表示が可能とされたことを特徴としたものとすれば、作業者が所定の棚の現在の設定状態をその棚の位置にて容易に確認しながらその後の動作を予測して対応できるものとなる。
【００１９】
そしてまた、上述したコレーターにおいて、前記ディスプレイは、そのディスプレイのある棚に積載したチラシの給紙停止と給紙開始の各タイミングにおけるその動作になる旨の警告、又は／及び棚のチラシの載せ替えが必要になった場合におけるチラシの載せ替えを促す警告について画像による表示が可能とされたことを特徴としたものとすれば、作業者は装置の運転状態の変化の理由を即座に認識できるとともに必要になる対応を即座にとれるようになるため、その作業上の心理的負担を軽減しながらスムースな作業の遂行を実現しやすいものとなる。
【発明の効果】
【００２０】
各棚の棚操作パネルにディスプレイを配置してその棚の所定の情報を画像で表示可能とした本発明によると、各棚の位置でも作業者がその棚の詳細な情報を容易に確認できるものである。
【図面の簡単な説明】
【００２１】
【図１】本発明における実施の形態のコレーターにおいて各棚に配設される棚操作パネルの正面図である。
【図２】本実施の形態のコレーターの正面図である。
【図３】図２のコレーターの作動時における棚操作パネルの状態を例示した部分正面図である。
【図４】（Ａ），（Ｂ），（Ｃ），（Ｄ），（Ｅ），（Ｆ）は図３の棚操作パネルにおいて棚の各種状態に対応したディスプレイ表示画面を示す部分正面図である。
【図５】（Ａ）は図３の棚操作パネルのディスプレイに触れて操作する手順を説明するための部分正面図であり、（Ｂ）はそのディスプレイにおいてその棚に積載しているチラシのイメージ画像を表示している状態を示す拡大した部分正面図である。
【図６】（Ａ）は棚に積載するチラシを広げた状態を示す正面図であり、（Ｂ）はそのチラシの特徴部分のみを選択してディスプレイに表示した状態を示す拡大した部分正面図であり、（Ｃ）は所定の広告主の全てのチラシを表示するものとして作成したマークをディスプレイに表示した状態を示す拡大した部分正面図である。
【図７】図１の棚操作パネルの応用例の正面図である。
【図８】図１の棚操作パネルの他の応用例の正面図である。
【図９】図２のコレーターの応用例としてタブレット端末をメインパネルに使用した場合の構成を示す配置図である。
【図１０】図９のタブレット端末におけるディスプレイ表示の一例としての表示画面である。
【図１１】従来例の各棚に配置される棚操作パネルの正面図である。
【図１２】従来例のコレーターに配置されるメインパネルの正面図である。
【発明を実施するための形態】
【００２２】
以下に、図面を参照しながら本発明を実施するための形態を説明する。
【００２３】
図１は、本実施の形態のコレーター１Ａ（図２参照）の総ての棚に配設される棚操作パネル１１Ａを示しているが、その構成は捌き力調整摘み１２、給紙中か否かを示すランプ（給紙ランプ）１３ａ、ノーチェック運転か否かを示すランプ（ＮＣランプ）１４ａ、給紙の開始・停止を行うスイッチ１３ｂ（給紙ボタン）、ノーチェック運転の開始・停止を行うスイッチ（ＮＣボタン）１４ｂを備えている点において、図１１に示した従来例による棚操作パネル１１Ｄと共通している。
【００２４】
しかし、従来例の棚操作パネル１１Ｄでは、その棚についての各種状態を含む情報の表示が主としてランプの点灯によるものであり、その棚の情報をそれ以上詳細に表示することは不可能であったことから、その棚の位置で行う作業であってもメインパネル３Ｄのディスプレイ３２の表示画面を確認する必要があり、作業の迅速な遂行が容易ではなかった。
【００２５】
これに対し、本実施の形態では総ての棚の棚操作パネル１１Ａに電子的画像表示機能を有したディスプレイ１５Ａを配設した点を特徴としており、また、本実施の形態において、このディスプレイ１５Ａに画面の表示部分に触ることで各種操作を行えるタッチパネル式のものを使用している点も特徴となっている。
【００２６】
本実施の形態のコレーター１Ａは、図２の全体図に示すようにチラシを積載する給紙トレーを有した棚を縦方向に複数段備えて複数種類の新聞折込用チラシを一つに丁合するための装置であり、前述の棚操作パネル１１Ａが各棚の開口部右側のフレーム端面の位置で棚毎に配設されてなるものである。また、左側のフレーム端面には、電子的画像表示機能を有したディスプレイ３０及びキー入力部３１を有してなるメインパネル３Ａが配設されており、そのメインパネル３Ａの裏側には装置の制御を行う図示しない電子制御ユニット１０Ａが配設されている。
【００２７】
図３は、運転中のコレーター１Ａにおける５番棚の棚操作パネル１１Ａの状態の例示したものであり、現在給紙中であることを表すランプ１３ａが点灯している。そのディスプレイ１５Ａには、携帯電話やスマートフォンに用いられるものと同様に液晶等を用いた電子的画像表示機能を有して、あらゆる画像をカラーにて詳細に表示可能なものが使用され、その画面には５番棚に関する各種状態を含む様々な情報が画像で表示されている。
【００２８】
この場合、ディスプレイ１５Ａの上部左側に表示された「５」は棚番号１５１、上部中央に表示された「パチンコジャラジャラ」は現在給紙しているチラシ名１５２ａ、下部左側に表示された「４３Ｂ」は現在給紙している配達区域番号１５３、下部中央に表示された○に「入」はこの棚が現在折り込み中である給紙マーク１５４ａを表している。また、図示は省略するが、そのディスプレイ１５Ａには、その棚に積載すべきチラシの枚数、その配達区域におけるチラシの給紙予定枚数、給紙済み枚数、残枚数のうち、いずれか又はこれらの組み合わせ、或いは総てを表示することもでき、さらに、配達区域番号１５３の代わりに又はこれに並列して配達区域名を表示することもできる。
【００２９】
一方、このディスプレイ１５Ａの上部右側には、図１１の従来例に見られた重送発生を報知するランプ１３０ａ及び重送報知の状態を設定・解除するスイッチ１３０ｂの機能を一つに纏めた画像による重送スイッチ１５５と、同様に図１１の従来例に見られた連段の設定を示すランプ１４０ａ及び連段を設定・解除するスイッチ１４０ｂの機能を一つに纏めた画像による連段スイッチ１５６が表示されている。
【００３０】
即ち、重送スイッチ１５５は、その画像部分を指で触るだけで実際のスイッチを押すのと同様に操作を行えるタッチパネル式のスイッチとされ、例えば「重送」の文字が青で表示されている場合は重送報知の設定がされた状態とし、重送が発生すると文字が赤になったり赤の文字が点滅したりして作業者が離れた位置でも認識しやすい状態で表示し、それを触ることで報知を停止して元の状態に戻り、さらに触ることで重送報知の設定を解除して異なる色の表示になったり表示が消えたりするようになっている。また、連段スイッチ１５６もこれと同様にタッチ式で操作され、状態に応じて色が変化するようになっている。
【００３１】
上述したように、本実施の形態のコレーター１Ａに配設されている棚操作パネル１１Ａにおいてディスプレイ１５Ａ用いたことにより、その棚の各種情報について文字やマークで表示したりその色を変えたり点滅させたり種々の態様にて多彩な表現方式にて画像で表示可能とされており、従来パネルに必要とされたランプ類の数を削減するとともに狭い表示面積であっても多種類の情報を認識しやすい状態にて表示できるものとなった。
【００３２】
殊に、その棚で現在給紙しているチラシ名やチラシの画像、さらには配達区域等、棚についての作業上重要な情報を表示可能としたことで、作業者が各棚の位置にて必要な情報を容易に確認できるようになった。また、表示された所定の画像部分を触るだけでその画像が表示している内容についてそのまま操作を行えるようにしたことで、従来パネルに必要とされたスイッチ類の数を大幅に削減できることに加え、スイッチとランプが一つに纏まった状態でコンパクトに収めることが可能であるため、同じ面積でより多くの種類のスイッチ・ランプ類を表示できるようになった。尚、ディスプレイを配設するメリットとコストアップのデメリットとの比較、又は丁合するチラシの種類・性格・配布目的を考慮して、前述のように総ての棚の棚操作パネルにディスプレイ１５Ａを配設するのではなく、複数段の棚のうち、例えば折段や一番上に来るチラシを給紙する棚又はいくつか選択した棚の組み合わせなど、詳細な表示・管理の必要性が特に高い棚だけに限定して、ディスプレイ１５Ａを備えた棚操作パネル１１Ａにすることも、本発明では想定することができる。
【００３３】
図４は、その５番棚における各種情報を棚操作パネル１１Ａのディスプレイ１５Ａで画像により表示している状態を示している。図（Ａ）において、下部中央の○の中に「先」の表示は、この棚が区域部数の途中でチラシの枚数のみ折り込んだら一度止める給紙設定であることを表す先入れマーク１５４ｂであり、この先入れ設定の場合、その停止がその区域の始めから何部目という固定表示と、あと何部という減算表示を選択することが可能である。一方、その右隣りにはこの区域の部数を示す区域部数１５７が表示されているが、この区域部数１５７の代わりに、または並列して、この棚から折り込むべき総部数や折り込みが進むにつれ減算していく部数を表示することもできる。
【００３４】
図４（Ｂ）では、下部中央で○の中に「分」が表示されているが、これはその区域にチラシを平均してばらまくため所定部数おきに給紙することを示す分けマーク１５４ｃである。この場合、何部おきに給紙されるかを表示することも可能となっているが、これにはどうしても端数が出るところ、所定の演算で給紙間隔が全体としてその平均値になるように適宜分配しながら給紙するようになっている。
【００３５】
また、図（Ｃ）では○の中に「後」が表示されているが、給紙して残りの部数がチラシの部数となった場合に折り込み開始することを示す後入れマーク１５４ｄである。さらに、これらの給紙設定の表示の他に、図示は省略するが○の中に「止」を表示した給紙を停止した状態を示す、止めマークも表示可能となっている。尚、図示は省略するが、上述したような給紙の設定において、チラシの給紙停止と給紙開始のタイミングにおけるその動作になる旨の警告、又は／及び棚の載せ替えが必要になった場合におけるチラシの載せ替えを促す警告についても、文字やマークなどの画像にて自動表示する設定を行えるようにすることが推奨され、このようにすることで、作業者は動作が変化することとその理由を事前に認識することができ、作業上のストレスを軽減しながら的確且つスムースな作業が遂行されやすいものとなる。
【００３６】
前述したように、本実施の形態では、棚操作パネル１１Ａのディスプレイ１５Ａにおいて、その棚で重送が発生した場合にアラーム表示により報知できるようになっているが、この重送のほか、給紙ミス（給紙抜け）、紙詰まりの給紙不良についても同様の報知設定が可能であり、その棚でアラームが複数種類同時発生した場合には、その表示中のみ画面を切り替えて２行表示にして総て表示することもできる。
【００３７】
さらに、このディスプレイ１５Ａには、給紙不良が発生することによるアラーム停止動作で装置が停止した際に、最後に排出されたチラシ束から下方向に数えて何部目のチラシ束に給紙不良が存在するかにつての画像による表示が可能とされており、図４（Ｄ）に示すように給紙ミスの場合は、下部スペースの大部分の表示部分が切り替わって給紙ミス束表示部１５８となり、重送の場合には図（Ｅ）に示すように重送束表示部１５９に切り替わるようになっている。
【００３８】
即ち、給紙ミス束表示部１５８では、「給紙ミス１２３４」（１と４は太字または赤色等の目立つ色）というように、最後に排出されたチラシ束から何部下にアラームを発生させた状態が含まれるかという内容を具体的に表示するものである。この場合、コレーターの給紙棚段数や運転速度によりアラーム停止動作中に作られるチラシ束の数は決まっていることから、最大でも４部を超えない関係で４部だけ表示できるエリアを確保してあり、具体的な給紙ミスが含まれるチラシ束の位置を他とは異なる態様にて表示している。
【００３９】
一方、図４（Ｅ）の重送束表示部１５９では「重送１  ３  」というように重送が含まれるチラシ束の位置のみ表示しているが、斯かる表示のほか「●・・●」のように、そのチラシ束の位置が分かるマークを配置するなど作業者が不良を含むチラシ束がどこにあるかを認識可能な表示方法であれば様々な表示方法を採用することができる。また、給紙ミス、重送、紙詰まりについて赤、青、緑など、異なる色で表示するようにすれば、作業者がその色に応じて給紙ミスの内容を即座に認識しやすい状態にすることもできる。
【００４０】
尚、給紙不良発生の内容によっては、不良を含むチラシ束が上から何番目か理論的に分からない場合もあり、例えばチラシが棚から下流に移動してコレーター中心部を通過する部分で詰まりが発生した場合には、そのチラシがどこから来たのか何枚なのか分からないため、この場合は「紙詰まり」とだけ表示して作業者に不正確な情報を送らないようにすることが好ましい。
【００４１】
ところで、給紙・搬送時に棚に積載したチラシの種類や大きさによっては遅れや進みが生じるケースもあるところ、本実施の形態のコレーター１Ａは、これを調整する補正機能を備えている。従来例においては、補正を加えたい棚のスイッチを操作してその棚にフォーカスを与え、メインパネルに設けた補正機能を有効にする補正スイッチ及び前進・後退スイッチを操作して補正量を与える方式を採用していた。
【００４２】
これに対し、本実施の形態では、図４（Ｆ）に示すように、棚操作パネル１１Ａのディスプレイ１５Ａにおいて、各棚の補正量を示す補正量表示１６０ｃと補正量設定に用いる前進スイッチ１６０ｂ及び後退スイッチ１６０ａを備えた補正操作部１６０を表示可能とされており、従来例で用いていた実体的なスイッチを削減しながら、補正対象棚の棚操作パネル１１Ａに注目するだけで補正操作が行えるとともに、補正量の現在値も明確に把握できるようになっている。
【００４３】
さらに、本実施の形態においては、図示は省略するが各棚のチラシ積載テーブルの角度を手動又は電動にて変更するためのテーブル角度変更手段が設けられており、各棚操作パネル１１Ａのディスプレイ１５Ａに、その棚のチラシ積載テーブルの現在角度が表示可能であり、且つ、手動又はディスプレイ表示画面上の操作でテーブル角度変更手段を作動させることでチラシテーブルの角度を調整することができ、その調整結果が現在角度の表示に自動的に反映されるものとされ、各調整対象棚の位置にて、作業者がテーブルの角度調整を容易に行えるようになっている。
【００４４】
そして、本実施の形態においては、各棚操作パネル１１Ａで表示されるその棚の情報内容とメインパネル３Ａで表示されるその棚の表示内容とが一致するようになっており、且つ、棚操作パネル１１Ａで行った操作の結果とメインパネル３Ａで行った操作の結果は、互いの表示内容において自動的に反映されるようになっていることから、作業者は、いずれのパネルを用いても棚の情報の確認と操作を実施できるため、極めて利便性に優れたものとなっている。
【００４５】
図５は、本実施の形態において、棚操作パネル１１Ａのディスプレイ１５Ａに積載したチラシの画像（イメージ）を表示させる場合を示しており、図（Ａ）に示すように、チラシ名１５２ａの画像部分を指で触ることにより、図（Ｂ）に示すようにディスプレイ１５Ａの大部分がその棚に積載するチラシの画像を縮小してなるチラシイメージ１７０ａに切り替わる。
【００４６】
この場合、その棚のチラシは一見して特徴があって、縮小してもその種類を判別可能であったことから、予めスキャン等して取得していたチラシの画像をそのまま縮小表示する方式を採用したものである。尚、斯かるディスプレイ１５Ａにおけるチラシの画像は、表示してすぐにチラシの種類を認識可能であるため、表示してから数秒程度で元の表示に戻る設定とすれば良い。
【００４７】
これに対し、図６（Ａ）に示すように、その棚のチラシが例えば大手スーパーの場合のように、同一会社や別店舗から複数種類のチラシが来るうちの一つのチラシ７０である場合、全体を縮小した画像では作業者がチラシの種類を見分けにくいため、図（Ｂ）に示すように例えば店舗名が記載されている部分などの特徴部分７０ａだけを抽出したチラシイメージ１７０ｂを、ディスプレイ１５Ａに表示することで識別性が確保されやすいものとなる。或いは、例えば毎週のように来るチラシの場合は、他と識別容易な特有のマークを予め作成しておき、図（Ｃ）に示すように実際のチラシの画像の代わりに特有のマークを用いてなるチラシイメージ１７０ｃをディスプレイ１５Ａに表示すれば良い。
【００４８】
図７，８は、上述した実施の形態における棚操作パネル１１Ａの応用例を示すものであり、いずれも捌き力調整摘み１２を反対側のフレーム等、従来の位置から別の位置に移動して配置することにより配置面積を確保して、ランプ・スイッチ類の数を増加させながらパネルレイアウトを変更したものとなっている。
【００４９】
図７の棚操作パネル１１Ｂは、横長であったディスプレイ１５Ａを縦長のディスプレイ１５Ｂに変更して各種ランプ１３ａ，１４ａ，１６ａ，１７ａ及び各種スイッチ１３ｂ，１４ｂ，１６ｂ，１７ｂを縦方向に配置したものであるが、ディスプレイ１５Ｂにおいて行数を多く表示できる利点があるものの、横幅が小さくなることで表示可能な文字数が減少したり文字サイズが小さくなったりする欠点もある。
【００５０】
一方、図８の棚操作パネル１１Ｃは、前述の棚操作パネル１１Ｂのランプ・スイッチ類をパネル下側で横向きに配置することで縦長のディスプレイ１５Ｂをさらに大画面にした点を特徴としている。これにより、図５のディスプレイ１５Ａを同じ横幅のまま縦幅を２倍以上に大きく拡大したものとなり、図のようにチラシイメージ１７０ａとチラシ名１５２ａを縦方向に並列して表示することにより、作業者がチラシの種類を一層認識しやすい状態にすることができる。
【００５１】
また、画面が大きくなって表示できる情報量が多くなったことにより、メインパネル３Ａと同様に多種類の情報を同時に表示したり文字やマークを大きく表示したりすることも可能となり、作業者にとって視認性と利便性が一層向上したものとなっている。尚、このディスプレイ１５Ｃは、現在大量に流通しているタッチパネル式のスマートフォンに用いられているものとほぼ同サイズであることから、これを部品としてそのまま使用することで製造コストを低減できる利点もある。
【００５２】
図９は、上述した実施の形態と応用例総てに共通した応用例を示すものであり、コレーター１Ａの本体に固定されているメインパネル３Ａの代わりに、通信機能を有したタブレット端末によるメインパネル３Ｂを用いて、これを本体２とは別体にして使用できるようにしたコレーター１Ｂを示している。この応用例においては、現在大量に流通しているタブレット端末にコレーター制御用のプログラムを格納してコレーターのメインパネルとしてそのまま使用したものであり、その携帯性と元々備えた汎用機能を生かしながらコストダウンも実現している。
【００５３】
即ち、コレーター１Ｂの本体２には、装置の制御を行う電子制御ユニット１０Ａが配設されているが、これにＬＡＮ通信用送受信器等による通信手段４０が接続され、電子制御ユニット１０Ａと通信機能を備えたタブレット端末からなるメインパネル３Ｂとの間で通信を行いながら、本体２とは離れた位置にて従来のメインパネル３Ａによるのと同様にディスプレイ２０上で各種情報の表示と各種操作・入力を行えるようになっている。
【００５４】
この例では、タブレット端末であるメインパネル３Ｂのデータ処理能力を利用することで本体２側の電子制御ユニット１０Ａの制御機能の大部分を分担させることもでき、各棚に配置されている棚操作パネル１１Ａには元々電子基板を備えていることから、これを各棚の駆動手段やセンサ類と電子制御ユニット１０Ａ間の中継制御基板として機能させている。
【００５５】
この場合、例えば図１０に示すメインパネル３Ｂのディスプレイ２０の表示画面において棚の状態（給紙不良）を一覧に表示した棚一覧表示部２１ａに示すような棚の一覧表示又は個別の表示による棚の状態を含む情報は、各棚の棚操作パネル１１Ａのディスプレイ１５Ａに表示される内容と共通しており、一方の表示画面上の操作による結果が他方の表示画面上の表示内容にそのまま反映されるようになっている。
【００５６】
従って、コレーター１Ｂの作業者は、メインパネル３Ｂのディスプレイ２０と棚操作パネル１１Ａのディスプレイ１５Ａのいずれを用いても、目的の棚における情報を確認できるとともにその棚の操作を行える点で利便性に優れたものとなっている。また、この例においては、実際に作業を行っている棚の位置にて殆ど総ての棚の状態確認と操作が行えることに加え、メインパネル３ＢがＬＡＮ通信等により様々な場所で使用できることから、各棚の位置で装置全体の状況を参照しつつ、棚操作パネル１１Ａでその棚の状態確認や操作を行えるというメリットもある。
【００５７】
さらに、上述した実施の形態による各構成に加えて、その棚のうち例えば折段や表になるチラシを積むものなど、少なくとも一つの棚について積載したチラシの画像又はそのチラシに表示したコードを、自動的にデータとして読み取るチラシデータ読み取り手段を設け、読み取ったチラシのデータを基に電子制御ユニットがそのチラシの種類又は／及びそのデータの内容毎に関連付けて予め記憶してある特有の関連情報を特定するものとして、特定したチラシの種類又は／及び関連情報に応じて予め定めた所定の動作を実行する構成とすれば、チラシに表示された情報を基にコレーターとしてさらに多彩な機能を自動的に発揮させることが可能になる。
【００５８】
例えば、読者の宛名をコード等で印刷したチラシを、一番上（表）になる位置の段に積んで折り込むことで、その読者のデータを検知した電子制御ユニットが、予めデータベースに登録してあるその読者の家族構成・性別・年齢・趣味・嗜好等に応じて最も有効と思われるチラシを全ての棚の中から選定して丁合することにより、読者別にカスタマイズしたチラシ束を作成することもできる。これにより、広告主にとっても効果的な広告配布が可能となり、その際に、広告主に対しどの地域のどのような構成の家庭に、どのチラシを配布した、というような個人情報保護法に触れないレベルでの配布情報の提供も可能になる。
【００５９】
また、このように棚にチラシの種類を識別する機能を付加することは、ある棚において指定されたチラシとは異なるチラシを積載した場合や、予定されたチラシへの積み替え作業を忘れた場合のミス検出手段としてそのまま利用することも可能であり、ミスを検出した場合には指定とは異なるチラシである旨の情報を、チラシの積み替えを促す警告として棚のディスプレイに表示できるものとなる。
【００６０】
ところで、上述した給紙の停止・開始に関し、従来は装置全体を停止するかどうかについて容易にプリセット可能であったが、実際には積載したチラシの種類毎に止めたい部数が異なるのが通常であり、例えばＡというチラシは今から１００部で止め、Ｂのチラシは５０で止めたいという場合に、従来では装置全体を５０で止めた後、５０給紙してからもう一度止めるという作業を行っており、異なる停止時期の棚がさらに増えた場合、計算と管理が複雑化し極めて面倒な状況になっていた。
【００６１】
そこで、棚操作パネルのディスプレイ画面に入力・操作手段を表示可能として前述の５０や１００の停止タイミングをプリセットさせ、これについて画面で残数を見せたりしながら設定通りに停止動作を実行できれば便利であり、このような機能を追加することが推奨される。この場合、入力・操作手段としてテンキーの１０数個程度のボタン画像であれば比較的容易に表示することができ、或いは４桁の各枠の上下に隣接して数字を前進・後退させる矢印ボタン等を表示しても良い。さらに、この場合、停止だけではなく、あと何部後に動作が開始される旨の情報を表示したり、停止の際に「プリセットカウント  １２０枚でアップ」など、停止している理由を表示したりすることが可能なものとすれば、作業者にとって極めて便利である。
【００６２】
このように、本実施の形態のコレーターにおいては、従来例とは異なり各棚のディスプレイに棚毎の情報を多彩な表現形式にて表示することができるものであり、上述した機能のほか様々な機能を発揮させることができ、例えば給紙ミスの場合は捌き圧が強すぎたことが原因として想定されることから、「給紙ミスです。捌き圧を−０．５に調整してください」というような個別的なヒントを表示することも可能である。
【００６３】
また、同じ情報であっても様々な表示方法の中からユーザが好みのもの作業者が理解しやすいものを予め選択して設定することも可能であり、さらに、棚の位置で必要に応じて様々な情報を詳細な内容にて表示可能になったことで、例えば棚で行う作業の場合に、メインパネルを確認することなくその位置で必要な情報の殆ど総てを入手できるようになり、作業者の手間と負担を大きく軽減することに大きく貢献するものとなる。
【００６４】
以上述べたように、新聞折込チラシ用のコレーターにおいて、本発明により、作業者が各棚の位置でもその棚について詳細な情報を容易に確認できるようになった。
【符号の説明】
【００６５】
１Ａ，１Ｂ  コレーター、３Ａ，３Ｂ  メインパネル、１１Ａ，１１Ｂ，１１Ｃ  棚操作パネル、１３ａ，１４ａ，１６ａ，１７ａ  ランプ、１３ｂ，１４ｂ，１６ｂ，１７ｂ  スイッチ、１５Ａ，１５Ｂ，１５Ｃ  ディスプレイ、１５２ａ  チラシ名、１５３  配達区域番号、１５４ａ  給紙マーク、１５４ｂ  先入れマーク、１５４ｃ  分けマーク、１５４ｄ  後入れマーク、１５５  重送スイッチ、１５６  連段スイッチ、１５７  区域部数、１５８  給紙ミス束表示部、１５９  重送束表示部、１６０  補正操作部、１７０ａ，１７０ｂ，１７０ｃ  チラシイメージ
【図１】
2013010571.tif 000003
【図２】
2013010571.tif 000004
【図３】
2013010571.tif 000005
【図４】
2013010571.tif 000006
【図５】
2013010571.tif 000007
【図６】
2013010571.tif 000008
【図７】
2013010571.tif 000009
【図８】
2013010571.tif 000010
【図９】
2013010571.tif 000011
【図１０】
2013010571.tif 000012
【図１１】
2013010571.tif 000013
【図１２】
2013010571.tif 000014